(57)【要約】【課題】カード収納部に収納されているカードを簡易に再使用することが可能なカード処理装置を提供すること。【解決手段】カード収納部３７には、１枚のカードのみが通過可能な第１の通過口４１ａと第１の通過口４１ａより大きい開口面積を有する第２の通過口４１ｂとが形成されたゲージ部材３９が設けられている。ゲージ部材３９は、アーム部材５１及び電磁ソレノイド５３により、搬送路１１とカード収納部３７との間のカード搬送経路上に第１の通過口４１ａを位置させる第１の移動位置と、当該カード搬送経路上に第２の通過口４１ｂを位置させる第２の移動位置との間で往復移動する。搬送路１１内のカードＣをカード収納部３７へ搬送する際、ゲージ部材３９は第２の移動位置に移動して、カードＣは第２の通過口４１ｂを通る。また、カード収納部３７内のカードＣを搬送路１１へ搬送する際、ゲージ部材３９は第１の移動位置に移動して、カードＣは第１の通過口４１ａを通る。【選択図】  図１
2004280567.tif 000002
【特許請求の範囲】
【請求項１】
カード挿入口から挿入されたカードを導入する搬送路と、
前記搬送路における前記カードの搬送路の近傍に設けられ、前記カードを処理するカード処理部と、
前記カードを収納するためのカード収納部と、
前記搬送路にあるカードを前記カード収納部に向けて搬送し、前記カード収納部に収納されているカードを前記搬送路に向けて搬送する収納カード搬送手段と、
前記カード収納部に設けられ、１枚のカードのみが通過可能な第１の通過口と前記第１の通過口より大きい開口面積を有する第２の通過口とが形成されたゲージ部材と、
前記ゲージ部材を、前記搬送路と前記カード収納部との間のカード搬送経路上に前記第１の通過口を位置させた第１の移動位置と、当該カード搬送経路上に前記第２の通過口を位置させた第２の移動位置との間で往復移動させる駆動手段と、を備えており、
前記収納カード搬送手段により前記搬送路にある前記カードが前記カード収納部に向けて搬送される際に、前記駆動手段により前記ゲージ部材が前記第２の移動位置に移動し、前記収納カード搬送手段により前記カード収納部に収納されている前記カードが前記搬送路に向けて搬送される際に、前記駆動手段により前記ゲージ部材が前記第１の移動位置に移動することを特徴とするカード処理装置。
【請求項２】
前記駆動手段は、
前記ゲージ部材に設けられた突部に係合する係合部を有し、揺動自在に支持されたアーム部材と、
前記アーム部材を揺動させるアクチュエータと、を含んでおり、
前記アーム部材は、前記アクチュエータにより第１の揺動位置とされると、前記ゲージ部材を第１の移動位置に移動させ、前記アクチュエータにより第２の揺動位置とされると、前記ゲージ部材を第２の移動位置に移動させることを特徴とする請求項１に記載のカード処理装置。
【請求項３】
前記アーム部材は、前記第１の揺動位置において前記カード収納部から前記搬送路に向けて搬送されるカードを案内する案内部を更に有することを特徴とする請求項２に記載のカード処理装置。
【請求項４】
前記案内部は、前記挿入カード搬送手段によるカード搬送方向に当該カード搬送方向でのカード長さよりも短い間隔を有して一対設けられていることを特徴とする請求項３に記載のカード処理装置。
【請求項５】
前記ゲージ部材には、前記第１の移動位置に移動した際に、前記カード収納部に収納されている前記カードを前記収納カード搬送手段に押圧するばね部材が設けられていることを特徴とする請求項１に記載のカード処理装置。
【請求項６】
前記ゲージ部材は、前記カード収納部に収納されている前記カードの両側に位置し、前記ばね部材と協働して当該カードを保持する保持部を有し、
前記保持部は、前記ゲージ部材が前記第１の移動位置に移動した際に、前記収納カード搬送手段からの反力を受けて弾性変形することにより、前記収納カード搬送手段により搬送されたカードを当該保持部内側に位置させることを特徴とする請求項５に記載のカード処理装置。
【請求項７】
前記カード収納部は、前記搬送路の下方に設けられていることを特徴とする請求項１〜請求項６のいずれか一項に記載のカード処理装置。
【発明の詳細な説明】
【０００１】
【発明の属する技術分野】
本発明は、カード処理装置に関する。
【０００２】
【従来の技術】
この種のカード処理装置として、カードの処理を行うカード処理手段での処理内容に応じて、処理済のカードを収納するものが知られている（例えば、特許文献１参照。）。特許文献１に記載されたカード処理装置は、カード挿入口から挿入されたカードを搬送させる第１のカード搬送路と、このカード搬送路内に設けられ情報処理を行うカード処理手段と、このカード処理部へカードを搬送する第１のカード搬送手段と、第１のカード搬送路から延設された第２のカード搬送路と、第２のカード搬送路内に設けられた第２の搬送手段と、第２のカード搬送路の終端部に設けられたカード収納部と、を備え、第２のカード搬送路へ移送されたカードを自重によってカード収納部に落下させるように構成している。
【０００３】
【特許文献１】
特開２０００−１４８９１７号公報
【０００４】
【発明が解決しようとする課題】
ところで、カードの有効利用の観点から、カード収納部に収納されているカードを再使用したい場合もある。しかしながら、上述した構成のカード処理装置においては、カード収納部に収納されてしまったカードをカード処理手段にて処理するためには、手作業により、カード収納部から一旦カードを取り出し、取り出したカードをカード挿入口に挿入させなければならず、時間と手間がかかってしまい、簡易に再使用できる構成とはなっていない。
【０００５】
本発明は上述の点に鑑みてなされたもので、カード収納部に収納されているカードを簡易に再使用することが可能なカード処理装置を提供することを目的とする。
【０００６】
【課題を解決するための手段】
本発明に係るカード処理装置は、カード挿入口から挿入されたカードを導入する搬送路と、搬送路におけるカードの搬送路の近傍に設けられ、カードを処理するカード処理部と、カードを収納するためのカード収納部と、搬送路にあるカードをカード収納部に向けて搬送し、カード収納部に収納されているカードを搬送路に向けて搬送する収納カード搬送手段と、カード収納部に設けられ、１枚のカードのみが通過可能な第１の通過口と第１の通過口より大きい開口面積を有する第２の通過口とが形成されたゲージ部材と、ゲージ部材を、搬送路とカード収納部との間のカード搬送経路上に第１の通過口を位置させた第１の移動位置と、当該カード搬送経路上に第２の通過口を位置させた第２の移動位置との間で往復移動させる駆動手段と、を備えており、収納カード搬送手段により搬送路にあるカードがカード収納部に向けて搬送される際に、駆動手段によりゲージ部材が第２の移動位置に移動し、収納カード搬送手段によりカード収納部に収納されているカードが搬送路に向けて搬送される際に、駆動手段によりゲージ部材が第１の移動位置に移動することを特徴としている。
【０００７】
本発明に係るカード処理装置では、搬送路と、カード処理部と、カード収納部と、収納カード搬送手段と、ゲージ部材と、駆動手段とを備え、収納カード搬送手段により搬送路にあるカードがカード収納部に向けて搬送される際に、駆動手段によりゲージ部材が第２の移動位置に移動するので、カード収納部に向けて搬送されるカードは第２の通過口を通ることとなる。これにより、搬送路にあるカードを速やかにカード収納部に搬送することができる。また、収納カード搬送手段によりカード収納部に収納されているカードが搬送路に向けて搬送される際に、駆動手段によりゲージ部材が第１の移動位置に移動するので、搬送路に向けて搬送されるカードは第１の通過口を通ることとなる。これにより、カード収納部に収納されているカードのうちの一枚を確実に搬送路に搬送することができる。これらの結果、カード収納部にカードを収納することができると共に、カード収納部に収納されているカードを簡易に再使用することができる。
【０００８】
また、駆動手段は、ゲージ部材に設けられた突部に係合する係合部を有し、揺動自在に支持されたアーム部材と、アーム部材を揺動させるアクチュエータと、を含んでおり、アーム部材は、アクチュエータにより第１の揺動位置とされると、ゲージ部材を第１の移動位置に移動させ、アクチュエータにより第２の揺動位置とされると、ゲージ部材を第２の移動位置に移動させることが好ましい。このように構成した場合、ゲージ部材を第１の移動位置あるいは第２の移動位置に確実に移動させ得る構成を簡易且つ低コストで実現することができる。
【０００９】
また、アーム部材は、第１の揺動位置においてカード収納部から搬送路に向けて搬送されるカードを案内する案内部を更に有することが好ましい。このように構成した場合、収納カード搬送手段によりカード収納部に収納されているカードが搬送路に向けて搬送される際に、搬送路内まで確実にカードを搬送することができる。
【００１０】
また、案内部は、挿入カード搬送手段によるカード搬送方向に当該カード搬送方向でのカード長さよりも短い間隔を有して一対設けられていることが好ましい。このように構成した場合、カードを、搬送路内における挿入カード搬送手段により搬送可能な位置までより一層確実に搬送することができる。
【００１１】
また、ゲージ部材には、第１の移動位置に移動した際に、カード収納部に収納されているカードを収納カード搬送手段に押圧するばね部材が設けられていることが好ましい。このように構成した場合、カード収納部に収納されているカードを確実に収納カード搬送手段に押圧させることができ、簡易な構成にて搬送不良を防止することができる。
【００１２】
また、ゲージ部材は、カード収納部に収納されているカードの両側に位置し、ばね部材と協働して当該カードを保持する保持部を有し、保持部は、ゲージ部材が第１の移動位置に移動した際に、収納カード搬送手段からの反力を受けて弾性変形することにより、収納カード搬送手段により搬送されたカードを当該保持部内側に位置させることが好ましい。このように構成した場合、ゲージ部材の移動を利用して、保持部にカードを保持させることができる。
【００１３】
また、カード収納部は、搬送路の下方に設けられていることが好ましい。このように構成した場合、搬送路の下方のスペースを利用してカード収納部をレイアウトすることができ、搬送路におけるカード搬送方向での奥行き長さを小さくすることができ、装置の奥行き方向でのコンパクト化を図ることができる。
【００１４】
【発明の実施の形態】
本発明の実施形態に係るカード処理装置について図面を参照して説明する。
【００１５】
図１は、本実施形態に係るカード処理装置の側面図であり、図２は、本実施形態に係るカード処理装置の正面図である。また、図３は、本実施形態に係るカード処理装置に含まれるゲージ部材の斜視図であり、図４は、本実施形態に係るカード処理装置に含まれるアーム部材の斜視図である。
【００１６】
カード処理装置１は、図１及び図２に示されるように、筐体３を備えており、この筐体３は左右一対の第１及び第２の側筐体５，７からなる。筐体３の前側の上下方向略中央位置に、非接触型ＩＣカード（以下、単に「カード」と称する）Ｃの幅方向が垂直状態となるようにカードＣを挿入するカード挿入口９が設けられている。そして、第１及び第２の側筐体５，７の互いに対向する面により、カード挿入口９から挿入されたカードＣを導入する搬送路１１が形成されており、この搬送路１１は、カード挿入口９からカード挿入方向に沿って延設されている。
【００１７】
第１の側筐体５には、正、逆方向に回転可能な駆動モータ１３が取り付けられており、この駆動モータ１３のモータ軸には、垂直方向に延設された第１の駆動軸１５の上端部が連結されている。この第１の駆動軸１５は、第１の側筐体５に回転自在に支持されており、途中部分に搬送ローラ１７が軸着されている。搬送ローラ１７は、第１の側筐体５に穿設された窓から搬送路１１に臨んで配置されており、駆動モータ１３により回転駆動される。
【００１８】
また、第１の駆動軸１５の下端部にはユニバーサルジョイント１９を介して第２の駆動軸２１が連結されている。第２の駆動軸２１は、搬送路１１におけるカード搬送方向と平行となるように水平方向に延設されており、第１の側筐体５に回転自在に支持されている。駆動モータ１３の回転は、第１の駆動軸１５及びユニバーサルジョイント１９を介して、第２の駆動軸２１に伝えられる。第２の駆動軸２１の途中部分には、駆動プーリ２３が軸着されている。
【００１９】
駆動プーリ２３の下方には、第２の駆動軸２１と平行に配置され且つ第１の側筐体５に回転自在に支持された軸（図示せず）に軸着された従動プーリ２５が設けられている。駆動プーリ２３と従動プーリ２５との間には搬送ベルト２７が張架され、この搬送ベルト２７は、第１の側筐体５に穿設された窓（図示せず）から搬送路１１に臨んでいる。なお、搬送ベルト２７は、図２に示されるように、搬送路１１内を搬送されるカードＣに当接しないように、当該カードＣと所定の間隔を有して設けられている。
【００２０】
駆動モータ１３が回転すると、その回転は第１の駆動軸１５を介して搬送ローラ１７に伝えられ、搬送ローラ１７が回転する。同時に、駆動モータ１３の回転は、第１の駆動軸１５、ユニバーサルジョイント１９及び第２の駆動軸２１を介して駆動プーリ２３に伝えられ、搬送ベルト２７が走行する。
【００２１】
第２の側筐体７における搬送ローラ１７に対向する位置には、第１のピンチローラ２９が設けられている。この第１のピンチローラ２９は、第２の側筐体７に穿設された窓から搬送路１１に臨んで配置されている。また、第２の側筐体７における駆動プーリ２３に対向する位置には、第２のピンチローラ３１が設けられている。この第２のピンチローラ３１は、第２の側筐体７に穿設された窓（図示せず）から搬送路１１に臨んで配置されている。第１のピンチローラ２９は、中央部を揺動中心として揺動自在に第２の側筐体７に支持されたブラケット（図示せず）の一端側に回転自在に軸支されており、第２のピンチローラ３１は、当該ブラケットの一端側に回転自在に軸支されている。
【００２２】
ブラケットには、圧縮コイルばね等の弾性部材（図示せず）により付勢力が付与されており、ブラケットは、常時、第１のピンチローラ２９が搬送ローラ１７に近接し、第２のピンチローラ３１が搬送ベルト２７から離間する方向に付勢されている。また、ブラケットには、電磁ソレノイド等のアクチュエータ（図示せず）が連結されており、アクチュエータが弾性部材の付勢力に抗してブラケットを揺動させることにより、ブラケットは、第１のピンチローラ２９が搬送ローラ１７から離間し、第２のピンチローラ３１が搬送ベルト２７に近接する。上記第１及び第２のピンチローラ３１の駆動機構については、上述した特許文献１等に記載されており、ここでの詳細な説明は省略する。
【００２３】
第１のピンチローラ２９が搬送ローラ１７に近接した状態では、第１のピンチローラ２９と搬送ローラ１７とでカードＣを挟持可能な状態となり、カード挿入口９から挿入されたカードＣが搬送されることとなる。そして、搬送ローラ１７（駆動モータ１３）の回転が停止されると、当該カードＣの搬送が停止されて、搬送路１１におけるカードＣの停止位置が規定される。ここで、駆動モータ１３、第１の駆動軸１５、搬送ローラ１７及び第１のピンチローラ２９が、カード挿入口９から挿入されたカードＣを搬送路まで搬送する挿入カード搬送機構（挿入カード搬送手段）として機能する。
【００２４】
第２のピンチローラ３１が搬送ベルト２７に近接した状態では、第２のピンチローラ３１と搬送ベルト２７とでカードＣを挟持可能な状態となり、搬送路１１の停止位置にあるカードＣが搬送されることとなる。駆動モータ１３、第１の駆動軸１５、ユニバーサルジョイント１９、第２の駆動軸２１、駆動プーリ２３、従動プーリ２５、搬送ローラ１７及び第２のピンチローラ３１等が、搬送路１１にあるカードＣを後述するカード収納部３７に向けて搬送し、カード収納部３７に収納されているカードを搬送路１１に向けて搬送する収納カード搬送機構（収納カード搬送手段）として機能する。
【００２５】
第２の側筐体７における搬送路１１を形成する面の外側には、搬送路１１におけるカードＣの搬送路の近傍に設けられ、カードＣを処理するカード処理部としての情報処理基板３３が配設されている。この情報処理基板３３には、カードＣのアンテナ部３５（図示せず）と情報の授受を無線で行うアンテナ部３５が設けられている。
【００２６】
搬送路１１の下方には、カードＣを収納するためのカード収納部３７が設けられている。このカード収納部３７は、第２の側筐体７により画成されており、搬送路１１に連通している。
【００２７】
カード収納部３７には、ゲージ部材３９が設けられている。ゲージ部材３９は、図３にも示されるように、搬送路１１にあるカードＣに対して直交するように配置されるゲージ部４１と、当該ゲージ部４１のカード厚み方向の一端から連続して下方に延びるベース部４３とを含んでいる。ゲージ部４１には、１枚のカードのみが通過可能な略スリット状の第１の通過口４１ａと、第１の通過口４１ａより大きい開口面積を有する略スリット状の第２の通過口４１ｂとが形成されている。第１の通過口４１ａ及び第２の通過口４１ｂは、カード挿入方向、すなわち搬送路１１におけるカード搬送方向と平行な方向に延びている。また、ゲージ部４１には、第１の通過口４１ａ及び第２の通過口４１ｂと交差するように、搬送ベルト２７とゲージ部材３９との干渉を防ぐための切り欠き部４１ｃが形成されている。
【００２８】
ゲージ部４１における第１の通過口４１ａ及び第２の通過口４１ｂが延びる方向での両端部には、当該方向に突出する突部４５が設けられている。また、ゲージ部４１の両端部には、突部４５と同じ方向に突出するバネ掛け部４７が設けられており、それぞれのバネ掛け部４７には、第２の側筐体７との間に引張りスプリング４９が掛け渡されている。
【００２９】
ゲージ部材３９は、アーム部材５１と、アクチュエータとしての電磁ソレノイド５３とを含むゲージ部材駆動機構（駆動手段）により、第１の移動位置と第２の移動位置との間で往復移動する。アーム部材５１は、カード挿入方向に延びる略シャフト状の部材であり、その両端が第１の側筐体５に揺動自在に支持されている。アーム部材５１は、図４にも示されるように、その両端部近傍にゲージ部材３９に設けられた突部４５に係合する第１の係合部５５をそれぞれ有している。電磁ソレノイド５３は、可動鉄芯５７を有し、当該可動鉄芯５７をその長手方向に動作させる。可動鉄芯５７の端部は、アーム部材５１の一方の端部に形成された第２の係合部５９に係合している。
【００３０】
可動鉄芯５７が下方に移動した状態では、図５に示されるように、アーム部材５１の第２の係合部５９が引き下げられて、アーム部材５１は図中反時計回り方向に揺動して、第１の揺動位置とされる。このとき、アーム部材５１の第１の係合部５５とゲージ部材３９の突部４５とが当接して係合しているので、アーム部材５１の揺動に伴い、ゲージ部材３９は、引張りスプリング４９の付勢力に抗してながら図中右方向に移動して、第１の移動位置となる。これにより、ゲージ部材３９は、搬送路１１とカード収納部３７との間のカード搬送経路上にゲージ部４１の第１の通過口４１ａを位置させた状態となる。
【００３１】
一方、可動鉄芯５７が上方に移動した状態では、図６に示されるように、アーム部材５１の第２の係合部５９が押し上げられて、アーム部材５１は図中時計回り方向に揺動して、第２の揺動位置とされる。このとき、ゲージ部材３９は、引張りスプリング４９の付勢力により、アーム部材５１の揺動に伴って図中左方向に移動して、第２の移動位置となる。これにより、ゲージ部材３９は、搬送路１１とカード収納部３７との間のカード搬送経路上にゲージ部４１の第２の通過口４１ｂを位置させた状態となる。
【００３２】
ゲージ部材３９のベース部４３には、図１及び図２に示されるように、ばね部材としての押圧ばね６１が取り付けられている。押圧ばね６１は、板ばねであって、ゲージ部材３９が第１の移動位置に移動した際に、カード収納部３７に収納されているカードＣを搬送ベルト２７に押圧する。これにより、押圧ばね６１の付勢力は、カード収納部３７に収納されているカードＣに対し、カードＣの厚さ方向に作用することとなる。
【００３３】
また、ベース部４３のカード挿入方向の両端部には、図３に示されるように、押圧ばね６１と協働してカード収納部３７のカードＣを保持するための保持部６３がベース部４３からゲージ部４１の下方位置に延びで設けられている。この保持部６３は、ベース部４３寄りの部分が薄肉状に形成されて、弾性変形可能となっている。保持部６３におけるベース部４３寄りの部分の間隔は、カード挿入方向でのカードＣの長さよりも若干大きく設定されている。また、保持部６３の先端部分は、ベース部４３寄りの部分よりも内側に膨出して肉厚に形成されており、当該先端部分の間隔は、カード挿入方向でのカードＣの長さよりも若干小さく設定されている。保持部６３の先端部分は、ベース部４３から当該先端部分までの長さが、下方に向かうにしたがって徐々に大きくされて、傾斜して形成されている。保持部６３の先端部分の上端位置は、第２の通過口４１ｂが延びる方向から見て、第２の通過口４１ｂのベース部４３寄りの縁部の下方とされており、保持部６３の先端部分の下端位置は、同じく第２の通過口４１ｂが延びる方向から見て、第２の通過口４１ｂの略中央とされている。また、保持部６３の先端部分は、垂直方向（収納カード搬送機構でのカード搬送方向）から見て、先端側から徐々に厚みが増して、テーパ状に形成されている。
【００３４】
保持部６３の先端部分は、ゲージ部材３９が第１の移動位置に向けて移動する際に、搬送ベルト２７により搬送されて保持部６３の外側に位置するカードＣに当接する。そして、更に、ゲージ部材３９が第１の移動位置に向けて移動すると、搬送ベルト２７からの反力がカードＣを介して保持部６３の先端部分に作用し、当該反力を受けて、保持部６３は互いの間隔を広げるように弾性変形する。この弾性変形により、保持部６３の外側に位置していたカードＣが、ゲージ部材３９に相対的に移動して、保持部６３の内側に位置することとなる。
【００３５】
アーム部材５１は、図４にも示されるように、搬送ローラ１７によるカード搬送方向に所定の間隔を有して一対設けられた案内部６５を有している。案内部６５は、第１の揺動位置においてカード収納部３７から搬送路１１に向けて搬送されるカードＣを搬送ローラ１７に当接するように案内する。案内部６５の間隔は、搬送ローラ１７によるカード搬送方向でのカード長さよりも短く設定されており、案内部６５は、搬送ローラ１７及び搬送ベルト２７を挟んで配置されている。
【００３６】
次に、図７〜図１５を参照して、上述した構成のカード処理装置１における搬送路１１とカード収納部３７との間のカード搬送動作について説明する。図７〜図１１は、搬送路１１からカード収納部３７へのカード搬送動作を説明するための概略正面図であり、図１２〜図１５は、カード収納部３７から搬送路１１へのカード搬送動作を説明するための概略正面図である。
【００３７】
まず、搬送路１１からカード収納部３７へのカード搬送動作を説明する。図７に示されるように、カードＣが停止位置にあり、情報処理基板３３によるカード内の価値情報の書き換え等の情報処理を行った結果、当該カードＣがカード内に価値情報が残存しない、いわゆる使用済みカードとなったときには、搬送路１１内の停止位置からカード収納部３７に向けて搬送される。そして、電磁ソレノイド５３が非駆動状態となり、可動鉄芯５７を上方に移動させ、アーム部材５１が第２の揺動位置まで揺動し、ゲージ部材３９が第２の移動位置まで移動する。なお、図７においては、第１のピンチローラ２９は搬送ローラ１７に近接した状態にあり、第２のピンチローラ３１は搬送ベルト２７から離間した状態にある。
【００３８】
そして、図８に示されるように、第１のピンチローラ２９が搬送ローラ１７から離間し、第２のピンチローラ３１が搬送ベルト２７に近接すると、停止位置にあるカードＣは、第２のピンチローラ３１と搬送ベルト２７とで挟持されることとなる。第２のピンチローラ３１と搬送ベルト２７とがカードＣを挟持した状態で、駆動モータ１３が第１の方向に回転すると、図８〜図１０に示されるように、カードＣは、カード収納部３７に向けて搬送される。このとき、ゲージ部材３９が第２の移動位置にあるので、第２のピンチローラ３１と搬送ベルト２７とで挟持されて搬送されるカードＣは、ゲージ部材３９の第２の通過口４１ｂを通り、ゲージ部材３９の保持部６３と搬送ベルト２７との間に入り込む。また、保持部６３の先端部分は、搬送ベルト２７によるカード搬送方向に対し、上述したように傾斜して形成されており、カードＣの搬送に支障となるようなことはない。なお、図１０においては、第１のピンチローラ２９は搬送ローラ１７に近接した状態にあり、第２のピンチローラ３１は搬送ベルト２７から離間した状態にある。
【００３９】
カードＣがカード収納部３７まで搬送されると、電磁ソレノイド５３が駆動状態となり、可動鉄芯５７を下方に移動させ、図１１に示されるように、アーム部材５１が第１の揺動位置まで揺動し、ゲージ部材３９が第１の移動位置まで移動する。これにより、カード収納部３７まで搬送されてゲージ部材３９の保持部６３と搬送ベルト２７との間に入り込んでいたカードＣは、保持部６３の弾性変形により、保持部６３の外側から内側に移動し、当該保持部６３と押圧ばね６１とにより保持されて整列されることとなる。
【００４０】
続いて、カード収納部３７から搬送路１１へのカード搬送動作を説明する。カード収納部３７から搬送路１１へのカード搬送する場合、初期状態として、図１２に示されるように、第１のピンチローラ２９は搬送ローラ１７から離間した状態にあり、第２のピンチローラ３１は搬送ベルト２７に近接した状態にある。そして、電磁ソレノイド５３が駆動状態となり、可動鉄芯５７を下方に移動させ、図１２に示されるように、アーム部材５１が第１の揺動位置まで揺動し、ゲージ部材３９が第１の移動位置まで移動する。
【００４１】
第２のピンチローラ３１と搬送ベルト２７とがカードＣを挟持した状態で、駆動モータ１３が第１の方向とは反対の第２の方向に回転すると、図１２〜図１４に示されるように、カード収納部３７に収納されているカードＣのうちの搬送ベルト２７に当接するカードが、搬送路に向けて搬送される。このとき、ゲージ部材３９が第２の移動位置にあるので、第２のピンチローラ３１と搬送ベルト２７とで挟持されて搬送されるカードＣは、ゲージ部材３９の第１の通過口４１ａを通る。なお、カードＣ間に摩擦抵抗が生じる等の理由により、複数枚のカードＣが上方に搬送された場合でも、第１の通過口４１ａは一枚のカードのみが通過可能であるので、搬送路１１には一枚のカードＣのみが搬送されることとなる。また、第２のピンチローラ３１と搬送ベルト２７とで挟持されて搬送されるカードＣは、図１３及び図１４に示されるように、案内部６５に案内されて、搬送ローラ１７にスムーズに当接する。これにより、第２のピンチローラ３１と搬送ベルト２７とで挟持されて搬送されるカードＣは、図１５に示されるように、搬送路１１に搬送される。なお、図１０においては、第１のピンチローラ２９は搬送ローラ１７に近接した状態にあり、第２のピンチローラ３１は搬送ベルト２７から離間した状態にある。
【００４２】
以上のように、本実施形態のカード処理装置１では、搬送路１１と、情報処理基板３３と、カード収納部３７と、収納カード搬送機構（駆動モータ１３、第１の駆動軸１５、ユニバーサルジョイント１９、第２の駆動軸２１、駆動プーリ２３、従動プーリ２５、搬送ローラ１７及び第２のピンチローラ３１）と、ゲージ部材３９と、ゲージ部材駆動機構（アーム部材５１及び電磁ソレノイド５３）とを備え、収納カード搬送機構により搬送路１１にあるカードＣがカード収納部３７に向けて搬送される際に、ゲージ部材駆動機構によりゲージ部材３９が第２の移動位置に移動するので、カード収納部３７に向けて搬送されるカードＣは第２の通過口４１ｂを通ることとなる。これにより、搬送路１１にあるカードＣを速やかにカード収納部３７に搬送することができる。また、収納カード搬送機構によりカード収納部３７に収納されているカードＣが搬送路１１に向けて搬送される際に、ゲージ部材駆動機構によりゲージ部材３９が第１の移動位置に移動するので、搬送路１１に向けて搬送されるカードＣは第１の通過口４１ａを通ることとなる。これにより、カード収納部３７に収納されているカードＣのうちの一枚を確実に搬送路に搬送することができる。これらの結果、カード収納部３７にカードＣを収納することができると共に、カード収納部３７に収納されているカードＣを簡易に再使用することができる。
【００４３】
また、本実施形態において、ゲージ部材駆動機構は、アーム部材５１と電磁ソレノイド５３とを含み、アーム部材５１は、電磁ソレノイド５３により第１の揺動位置とされると、ゲージ部材３９を第１の移動位置に移動させ、電磁ソレノイド５３により第２の揺動位置とされると、ゲージ部材３９を第２の移動位置に移動させる。これにより、ゲージ部材３９を第１の移動位置あるいは第２の移動位置に確実に移動させ得る構成を簡易且つ低コストで実現することができる。
【００４４】
また、本実施形態においては、挿入カード搬送機構（駆動モータ１３、第１の駆動軸１５、搬送ローラ１７及び第１のピンチローラ２９）を備え、収納カード搬送機構（搬送ベルト２７）は、挿入カード搬送機構（搬送ローラ１７）により搬送路１１内を搬送されるカードＣに当接しないように、当該カードＣと所定の間隔を有して設けられており、アーム部材５１は、第１の揺動位置においてカード収納部３７から搬送路１１に向けて搬送されるカードＣを搬送ローラ１７に当接するように案内する案内部６５を有している。これにより、搬送ベルト２７が、挿入カード搬送機構により搬送路１１内を搬送されるカードＣに当接しないように、当該カードＣと所定の間隔を有して設けられている場合でも、収納カード搬送機構によりカード収納部３７に収納されているカードＣが搬送路１１に向けて搬送される際に、搬送路１１内における搬送ローラ１７により搬送可能な位置まで確実にカードＣを搬送することができる。なお、案内部６５は、カード収納部３７から搬送路１１に向けて搬送されるカードＣが搬送ローラ１７及び第１のピンチローラ２９に当接しないように案内させてもよい。
【００４５】
また、本実施形態において、案内部６５は、挿入カード搬送機構によるカード搬送方向に当該カード搬送方向でのカード長さよりも短い間隔を有して一対設けられている。これにより、カードＣを、搬送路１１内における挿入カード搬送機構により搬送可能な位置までより一層確実に搬送することができる。
【００４６】
また、本実施形態においては、ゲージ部材３９に、第１の移動位置に移動した際に、カード収納部３７に収納されているカードＣを搬送ベルト２７に押圧するばね部材が設けられている。これにより、カード収納部３７に収納されているカードＣを確実に搬送ベルト２７に押圧させることができ、簡易な構成にて搬送不良を防止することができる。
【００４７】
また、本実施形態において、ゲージ部材３９は、カード収納部３７されているカードＣの両側に位置し、ばね部材と協働して当該カードを保持する保持部６３を有し、保持部６３は、ゲージ部材３９が第１の移動位置に移動した際に、搬送ベルト２７からの反力を受けて弾性変形することにより、収納カード搬送機構により搬送されたカードＣを当該保持部６３内側に位置させる。これにより、ゲージ部材３９の移動を利用して、保持部６３にカードＣを保持させることができる。
【００４８】
また、本実施形態において、カード収納部３７は、搬送路１１の下方に設けられている。これにより、搬送路１１の下方のスペースを利用してカード収納部３７をレイアウトすることができ、搬送路１１におけるカード搬送方向での奥行き長さを小さくすることができ、装置の奥行き方向でのコンパクト化を図ることができる。
【００４９】
本発明は、前述した実施形態に限定されるものではない。例えば、カード収納部３７は搬送路１１の下方に設けているが、これに限られることなく、搬送路１１の上方に設けてもよく、また、搬送路１１の奥側に設けてもよい。また、カード挿入口９及び搬送路１１は、カードＣの幅方向が垂直状態となるように設けられているが、これに限られることなく、カードＣの幅方向が水平状態となるように設けられていてもよい。
【００５０】
また、本実施形態においては、カード挿入口９から挿入されたカードＣを搬送する挿入カード搬送機構を備えているが、当該挿入カード搬送機構は必ずしも必要ではない。例えば、カードＣを、人手により、搬送路１１における停止位置まで挿入するように構成してもよい。また、上記挿入カード搬送機構は、上述した搬送ローラ１７及び第１のピンチローラ２９によりカードＣを搬送する構成に限られることなく、搬送ベルト等によりカードＣを搬送するように構成してもよい。また、収納カード搬送機構も、上述した搬送ベルト２７及び第２のピンチローラ３１によりカードＣを搬送する構成に限られることなく、搬送ローラ等によりカードＣを搬送するように構成してもよい。
【００５１】
また、搬送ローラ１７と搬送ベルト２７とを１個の駆動モータ１３に駆動させているが、搬送ローラ１７と搬送ベルト２７毎に駆動モータを設け、各駆動モータにより搬送ローラ１７と搬送ベルト２７を駆動するように構成してもよい。また、ユニバーサルジョイント１９の代わりに、ベベルギアを用いるようにしてもよい。
【００５２】
また、ゲージ部材３９を、アーム部材５１及び電磁ソレノイド５３で移動させているが、ゲージ部材３９を電磁ソレノイド５３等のアクチュエータにより直接駆動して移動させるように構成してもよい。
【００５３】
また、カードＣを非接触型ＩＣカードとしたが、接触型のＩＣカードとしてもよく、また、磁気カードとしてもよい。
【００５４】
【発明の効果】
以上、詳細に説明したように、本発明によれば、カード収納部に収納されているカードを簡易に再使用することが可能なカード処理装置を提供することができる。
【図面の簡単な説明】
【図１】本実施形態に係るカード処理装置の側面図である。
【図２】本実施形態に係るカード処理装置の正面図である。
【図３】本実施形態に係るカード処理装置に含まれるゲージ部材の斜視図である。
【図４】本実施形態に係るカード処理装置に含まれるアーム部材の斜視図である。
【図５】本実施形態に係るカード処理装置に含まれるゲージ部材及びゲージ部材駆動機構の動作を示す正面図である。
【図６】本実施形態に係るカード処理装置に含まれるゲージ部材及びゲージ部材駆動機構の動作を示す正面図である。
【図７】本実施形態に係るカード処理装置での搬送路からカード収納部へのカード搬送動作を説明するための正面図である。
【図８】本実施形態に係るカード処理装置での搬送路からカード収納部へのカード搬送動作を説明するための正面図である。
【図９】本実施形態に係るカード処理装置での搬送路からカード収納部へのカード搬送動作を説明するための正面図である。
【図１０】本実施形態に係るカード処理装置での搬送路からカード収納部へのカード搬送動作を説明するための正面図である。
【図１１】本実施形態に係るカード処理装置での搬送路からカード収納部へのカード搬送動作を説明するための正面図である。
【図１２】本実施形態に係るカード処理装置でのカード収納部から搬送路へのカード搬送動作を説明するための正面図である。
【図１３】本実施形態に係るカード処理装置でのカード収納部から搬送路へのカード搬送動作を説明するための正面図である。
【図１４】本実施形態に係るカード処理装置でのカード収納部から搬送路へのカード搬送動作を説明するための正面図である。
【図１５】本実施形態に係るカード処理装置でのカード収納部から搬送路へのカード搬送動作を説明するための正面図である。
【符号の説明】
１…カード処理装置、３…筐体、９…カード挿入口、１１…搬送路、１３…駆動モータ、１７…搬送ローラ、２３…駆動プーリ、２５…従動プーリ、２７…搬送ベルト、２９…第１のピンチローラ、３１…第２のピンチローラ、３３…情報処理基板、３７…カード収納部、３９…ゲージ部材、４１…ゲージ部、４１ａ…第１の通過口、４１ｂ…第２の通過口、４５…突部、４７…バネ掛け部、４９…引張りスプリング、５１…アーム部材、５３…電磁ソレノイド、５５…第１の係合部、５７…可動鉄芯、５９…第２の係合部、６３…保持部、６５…案内部、Ｃ…カード。
【図１】
2004280567.tif 000003
【図２】
2004280567.tif 000004
【図３】
2004280567.tif 000005
【図４】
2004280567.tif 000006
【図５】
2004280567.tif 000007
【図６】
2004280567.tif 000008
【図７】
2004280567.tif 000009
【図８】
2004280567.tif 000010
【図９】
2004280567.tif 000011
【図１０】
2004280567.tif 000012
【図１１】
2004280567.tif 000013
【図１２】
2004280567.tif 000014
【図１３】
2004280567.tif 000015
【図１４】
2004280567.tif 000016
【図１５】
2004280567.tif 000017